(57)【要約】      （修正有）【課題】ビークルのピラーを透明にする代替的なデバイスを提供すること。【解決手段】クローキングデバイスは、外向きミラー面及び内向き不透明表面を有する物体側及び像側湾曲遮蔽領域境界を含む。遮蔽領域は、物体側及び像側湾曲ＣＲ境界の内向き不透明表面によって境界付けされる。内向きミラー面を有する物体側湾曲反射境界は、物体側湾曲遮蔽領域境界に近接して位置決めされ、内向きミラー面を有する像側湾曲反射境界は像側湾曲遮蔽領域境界に近接して位置決めされる。クローキングデバイスの物体側に位置しかつ遮蔽領域によって隠された物体からの光は、物体側及び像側湾曲遮蔽領域境界の外向きミラー面と物体側及び像側湾曲反射境界の内向きミラー面とによって、遮蔽領域周囲に導かれる。【選択図】図１
2018127196.tif 000002
【特許請求の範囲】
【請求項１】
クローキングデバイスであって、
物体側及び像側と、
前記物体側に位置決めされた外向きミラー面及び内向き不透明表面を有する物体側湾曲遮蔽領域（ＣＲ）境界と、
前記像側に位置決めされた外向きミラー面及び内向き不透明表面を有する像側湾曲ＣＲ境界と、
前記物体側湾曲ＣＲ境界及び前記像側湾曲ＣＲ境界の前記内向き不透明表面によって境界付けされたＣＲと、
内向きミラー面を有する物体側湾曲反射境界と、
内向きミラー面を有する像側湾曲反射境界と、
を備え、
前記クローキングデバイスの前記物体側に位置しかつ前記ＣＲにより隠された物体からの光が前記ＣＲの周囲に導かれて、前記物体からの前記光が前記ＣＲを通過したかに見えるように、前記クローキングデバイスの前記像側に前記物体の像を形成する、
クローキングデバイス。
【請求項２】
前記物体側湾曲ＣＲ境界の前記外向きミラー面は、前記物体側に位置する前記物体からの入射光を概ね、前記物体側湾曲ＣＲ境界の前記外向きミラー面と前記物体側湾曲反射境界の前記内向きミラー面との間にこれら前記外向きミラー面及び前記内向きミラー面から離間して位置する焦点に反射し収束させる、ように構成される、請求項１に記載のクローキングデバイス。
【請求項３】
前記物体側湾曲ＣＲ境界の前記外向きミラー面及び前記物体側湾曲反射境界の前記内向きミラー面は放物形状面であり、
前記物体側湾曲反射境界の前記内向きミラー面は、前記物体側湾曲ＣＲ境界の前記外向きミラー面に対して概ね１８０°の向きに配置される、
請求項２に記載のクローキングデバイス。
【請求項４】
前記物体側湾曲反射境界の前記内向きミラー面は、前記物体側湾曲ＣＲ境界の前記外向きミラー面からの入射光を前記像側湾曲反射境界の前記内向きミラー面に向けて概ね平行に反射する、ように構成される、請求項３に記載のクローキングデバイス。
【請求項５】
前記物体側湾曲反射境界の前記内向きミラー面及び前記像側湾曲反射境界の前記内向きミラー面は放物形状面であり、
前記物体側湾曲反射境界の前記内向きミラー面は、前記像側湾曲反射境界に対して概ね９０°の向きに配置される、
請求項４に記載のクローキングデバイス。
【請求項６】
前記像側湾曲反射境界の前記内向きミラー面は、前記物体側湾曲反射境界の前記内向きミラー面から反射された入射光を概ね、前記像側湾曲反射境界の前記内向きミラー面と前記像側湾曲ＣＲ境界の前記外向きミラー面との間にこれら前記内向きミラー面及び前記外向きミラー面から離間して位置する焦点に反射し収束する、ように構成される、請求項５に記載のクローキングデバイス。
【請求項７】
前記像側湾曲反射境界の前記内向きミラー面及び前記像側湾曲ＣＲ境界の前記外向きミラー面は放物形状面であり、
前記像側湾曲反射境界の前記内向きミラー面は、前記物体側湾曲反射境界の前記内向きミラー面に対して概ね９０°の向きに配置される、
請求項６に記載のクローキングデバイス。
【請求項８】
前記像側湾曲ＣＲ境界の前記外向きミラー面及び前記像側湾曲ＣＲ境界の前記外向きミラー面は放物形状面であり、
前記像側湾曲ＣＲ境界の前記外向きミラー面は、前記物体側湾曲ＣＲ境界の前記外向きミラー面に対して概ね１８０°の向きに配置される、
請求項７に記載のクローキングデバイス。
【請求項９】
前記像側湾曲ＣＲ境界の前記外向きミラー面は、前記像側湾曲反射境界の前記内向きミラー面からのデフォーカスされた入射光を反射して、前記物体側に近接して位置する前記物体の前記像を前記像側に形成する、ように構成される、請求項８に記載のクローキングデバイス。
【請求項１０】
前記物体側湾曲ＣＲ境界は、前記物体側に近接して位置決めされた２つの物体側湾曲ＣＲ境界であって、各々が外向きミラー面と内向き不透明表面とを備える、２つの物体側湾曲ＣＲ境界を備え、
前記物体側湾曲反射境界は、前記２つの物体側湾曲ＣＲ境界に近接して位置決めされた２つの物体側湾曲反射境界であって、各々が内向きミラー面を備える、２つの物体側湾曲反射境界を備え、
前記像側湾曲ＣＲ境界は、前記物体側及び前記像側との間の前記像側に近接して位置決めされた２つの像側湾曲ＣＲ境界であって、各々が外向きミラー面と内向き不透明表面とを備える、２つの像側湾曲ＣＲ境界を備え、
前記像側湾曲反射境界は、前記２つの像側湾曲ＣＲ境界に近接して位置決めされた２つの像側湾曲反射境界であって、各々が内向きミラー面を備える、２つの像側湾曲反射境界を備え、
前記ＣＲは、前記２つの物体側湾曲ＣＲ境界及び前記２つの像側湾曲ＣＲ境界の前記内向き不透明表面によって境界付けされ、
前記２つの物体側湾曲ＣＲ境界の前記外向きミラー面、前記２つの物体側湾曲反射境界の前記内向きミラー面、前記２つの像側湾曲反射境界の前記内向きミラー面、及び、前記２つの像側湾曲ＣＲ境界の前記外向きミラー面は、前記クローキングデバイスの前記物体側に位置しかつ前記ＣＲにより隠された前記物体からの光を前記ＣＲの周囲に反射して、前記物体からの前記光が前記ＣＲを通過したかに見えるように、前記クローキングデバイスの前記像側に前記物体の像を形成する、ように構成される、
請求項９に記載のクローキングデバイス。
【発明の詳細な説明】
【技術分野】
【０００１】
関連出願の相互参照
本出願は、２０１６年１２月１２日に出願された米国仮特許出願第６２／４３３，０１１号の利益を主張し、当該仮特許出願は、全体として参照により本開示に援用される。
技術分野
本明細書は、概して、物体を透明に見せるための装置及び方法に関し、より詳細には、ビークル（車両、乗り物、輸送機関）のピラーのためのクローキングデバイス、及び、ビークルのピラーを透明に見せる方法に関する。
【背景技術】
【０００２】
背景
ビークルのピラーを透明に見せるクローキングデバイスに関する研究が公表されている。このような研究には、メタマテリアルを用い又はディスプレイ画面と組み合わせてビデオカメラを用いて、ビークルの乗員が表向きには、ビークルのピラーを通して「見る」ことを可能にし、これによってビークルのブラインドスポット（ブラインドスポット）を減少させることが開示されている。しかしながら、メタマテリアル及びビデオ技術は、複雑な材料設計及び機器を用いる。
【０００３】
したがって、ビークルのピラーを透明にする代替的なデバイスが必要とされている。
【発明の概要】
【０００４】
概要
一実施形態では、クローキングデバイスは、物体側と、像側と、外向きミラー面及び内向き不透明表面を有する物体側湾曲遮蔽領域（ＣＲ）境界と、外向きミラー面及び内向き不透明表面を有する像側湾曲ＣＲ境界と、を含む。ＣＲは、物体側湾曲ＣＲ境界及び像側湾曲ＣＲ境界の内向き不透明表面によって境界付けされる。内向きミラー面を有する物体側湾曲反射境界はクローキングデバイスの物体側に、物体側湾曲ＣＲ境界に近接して位置決めされ、内向きミラー面を有する像側湾曲反射境界はクローキングデバイスの像側に、像側湾曲ＣＲ境界に近接して位置決めされる。クローキングデバイスの物体側に位置しかつＣＲにより隠された物体からの光は、物体側湾曲ＣＲ境界の外向きミラー面、物体側湾曲反射境界の内向きミラー面、像側湾曲反射境界の内向きミラー面、及び、像側湾曲ＣＲ境界の外向きミラー面による光の反射、収束、デフォーカスによってＣＲの周囲に導かれる。ＣＲの周囲に導かれた光は、物体からの光がＣＲを通過したかに見えるように、クローキングデバイスの像側に物体の像を形成する。
【０００５】
ある実施形態では、物体側湾曲ＣＲ境界の外向きミラー面及び物体側湾曲反射境界の内向きミラー面は、外向きミラー面が光を、物体側湾曲ＣＲ境界の外向きミラー面と外側湾曲反射境界の内向きミラー面との間に位置する焦点に反射して収束させるように、成形され、位置決めされ、互いに離間される。また、像側湾曲反射境界の内向きミラー面及び像側湾曲ＣＲ境界の外向きミラー面は、内向きミラー面が光を、像側湾曲反射境界の内向きミラー面と像側湾曲ＣＲ境界の外向きミラー面との間に位置する焦点に反射して収束させるように、成形され、位置決めされ、互いに離間される。
【０００６】
別の実施形態によると、ビークルの物品を遮蔽するためのクローキングデバイスはクローキングアセンブリを含み、クローキングアセンブリは、物体側と、像側と、２つの物体側湾曲ＣＲ境界と、２つの像側湾曲ＣＲ境界と、を有する。ＣＲは、２つの物体側湾曲ＣＲ境界及び２つの像側湾曲ＣＲ境界によって境界付けされる。２つの物体側湾曲反射境界は２つの物体側湾曲ＣＲ境界に近接し、２つの像側湾曲反射境界は２つの像側湾曲ＣＲ境界に近接して位置決めされる。２つの物体側湾曲ＣＲ境界、２つの物体側湾曲反射境界、２つの像側湾曲ＣＲ境界、及び、２つの像側湾曲反射境界は、クローキングデバイスの物体側に位置しかつＣＲにより隠された物体からの光をＣＲの周囲に導いて、物体からの光がＣＲを通過したかに見えるように、クローキングデバイスの像側に物体の像を形成する、ように構成される。２つの物体側湾曲ＣＲ境界の外向きミラー面及び２つの物体側湾曲反射境界の内向きミラー面は、外向きミラー面が光を、２つの物体側湾曲ＣＲ境界の各々の外向きミラー面と２つの物体湾曲反射境界の各々の内向きミラー面との間に位置する焦点に反射して収束させるように、成形され、位置決めされ、互いに離間される。また、２つの像側湾曲反射境界の内向きミラー面及び２つの像側湾曲ＣＲ境界の外向きミラー面は、内向きミラー面が光を、２つの像側湾曲反射境界の各々の内向きミラー面と２つの像側湾曲ＣＲ境界の各々の外向きミラー面との間に位置する焦点に反射して収束させるように、成形され、位置決めされ、互いに離間される。
【０００７】
本開示で説明する実施形態によって示されているこれらの特徴及び付加的な特徴は、図面とともに次の詳細な説明を考慮して、更に十分に理解される。
【０００８】
図面に示されている実施形態は、本来的に実例となるもので例示的であり、特許請求の範囲によって規定されている主題を限定することを意図するものではない。実例となる実施形態の次の詳細な説明は、次の図面とともに読み取ることにより、理解することができ、図面において同様の構造は同様の参照符号によって示されている。
【図面の簡単な説明】
【０００９】
【図１】本開示中に開示、説明される１又は複数の実施形態に係るクローキングデバイスの頂面図を概略的に示す図である。
【００１０】
【図２】本開示中に開示、説明される１又は複数の実施形態に係る曲面ミラーからの反射を概略的に示す図である。
【００１１】
【図３】第１の物体がクローキングデバイスアセンブリの一側にあり、第２の物体がクローキングデバイスの遮蔽領域内にある、図１のクローキングデバイスの頂方斜視図を概略的に示す図である。
【００１２】
【図４】第１の物体がクローキングデバイスの一側にあり、第２の物体がクローキングデバイスの遮蔽領域内にある、図３のクローキングデバイスの側面図を概略的に示す図である。
【００１３】
【図５】クローキングデバイスの設置面の断面積の寸法を説明する、図１のクローキングデバイスの頂面図を概略的に示す図である。
【００１４】
【図６】本開示中で描写、説明される１又は複数の実施形態に係る、ビークルのビークルＡピラーを遮蔽するクローキングデバイスを概略的に示す図である。
【発明を実施するための形態】
【００１５】
詳細な説明
本開示中の１又は複数の実施形態によると、クローキングデバイスは、概して、入射光に遮蔽領域の周囲に導く複数の曲面ミラーを備えてもよい。本開示中に記載のクローキングデバイスは、放物面ミラーを用いて物体からの光を反射、集束、発散させてもよい。本開示中に記載のクローキングデバイスは、ビークルＡピラー、Ｂピラー、Ｃピラー、Ｄピラーなどのビークル物品（部品）を遮蔽して（覆い隠して）、ビークル物品によって作られる「ブラインドスポット（死角）」を取り除くのに用いられてもよい。ブラインドスポットは、乗員の視界が遮られ得るビークルの領域をさす。曲面ミラーを用いると、運転者は、クローキングデバイスがなければビークルのピラーによって遮られるはずの像を知覚することが可能になる。本開示では、クローキングデバイスとクローキングデバイスの使用方法との種々の実施形態を、添付図面を特に参照して更に詳しく説明する。
【００１６】
図１は、クローキングデバイスの一実施形態を概略的に示す。クローキングデバイスは遮蔽（クローキング）領域（ＣＲ）を含み、ＣＲは少なくとも２つの湾曲ＣＲ境界によって少なくとも部分的に境界付けされている。本開示中で、「境界」（単数又は複数）という用語は物理的表面をさす。複数の湾曲ＣＲ境界のうちの１つは物体側湾曲ＣＲ境界であってもよく、別の湾曲ＣＲ境界は像側湾曲ＣＲ境界であってもよい。物体側湾曲ＣＲ境界に近接して物体側湾曲反射境界が位置決めされてもよく、像側湾曲ＣＲ境界に近接して像側湾曲反射境界が位置決めされてもよい。物体側湾曲ＣＲ境界は、クローキングデバイスの物体側に位置する物体からの入射光を物体側湾曲反射境界に反射させるように構成される。物体側湾曲反射境界は、物体側湾曲ＣＲ境界から反射された入射光を像側湾曲反射境界に概ね平行に反射させるように構成される。像側湾曲反射境界は、物体側湾曲反射境界から反射された入射光を像側湾曲ＣＲ境界に反射させるように構成される。像側湾曲ＣＲ境界は、像側湾曲反射境界から反射された入射光を反射して、クローキングデバイスの像側に像を提供するように構成される。
【００１７】
ここで図１を参照すると、クローキングデバイスの実施形態はクローキングアセンブリ１０を含み、クローキングアセンブリ１０は、物体側１２と、像側１４と、４つの湾曲ＣＲ境界１１０、１２０、１３０、１４０とを有する。４つの湾曲ＣＲ境界１１０、１２０、１３０、１４０の各々は、図面に示されるように、Ｘ軸に沿った長さ、Ｙ軸に沿った幅、Ｚ軸に沿った高さを有する。つまり、図面中のＸ軸は４つの湾曲ＣＲ境界１１０、１２０、１３０、１４０の長さに沿って延び、図面中のＹ軸は４つの湾曲ＣＲ境界１１０、１２０、１３０、１４０の幅に沿って延び、図面中のＺ軸は４つの湾曲ＣＲ境界１１０、１２０、１３０、１４０の高さに沿って延びる。２つの湾曲ＣＲ境界１１０、１３０は、クローキングアセンブリ１０の物体側１２に位置して物体「Ｏ」に面してもよく、本開示中では物体側湾曲ＣＲ境界１１０、１３０と呼ばれることがある。２つの湾曲ＣＲ境界１２０、１４０は、クローキングアセンブリ１０の像側１４に位置してクローキングアセンブリ１０によって形成される像「Ｉ」を提供してもよく、本開示中では像側湾曲ＣＲ境界１２０、１４０と呼ばれることがある。
【００１８】
湾曲ＣＲ境界１１０、１２０、１３０、１４０はそれぞれ、外向きミラー面１１２、１２２、１３２、１４２と内向き不透明表面１１４、１２４、１３４、１４４とを有する。本開示中で「外向き」という用語は、ＣＲ２００に面さず、かつ／又は、ＣＲ２００と逆方向に光を反射させる面をさし、本開示中で「内向き」という用語は、ＣＲ２００に面し、かつ／又は、ＣＲ２００に向けて光を反射させる面をさす。外向きミラー面１１２、１２２、１３２、１４２への入射光のほぼ１００％（＋／−１０％）がそこから反射されるように、外向きミラー面１１２、１２２、１３２、１４２を全方向性フォトニック結晶又はミラーから形成することができる。したがって、本開示中で「ミラー面（鏡面）」という用語は、ミラー面上に入射する光の全てのモード（例えば、ｓ偏光、ｐ偏光）のほぼ１００％（＋／−１０％）を反射する面をさす。
【００１９】
湾曲ＣＲ境界１１０、１２０、１３０、１４０はそれぞれ、頂端１１６、１２６、１３６、１４６と側端１１８、１２８、１３８、１４８とを有してもよい。側端１１８、１２８、１３８、１４８はそれぞれ、頂端１１６、１２６、１３６、１４６から離間され、湾曲ＣＲ境界１１０、１２０、１３０、１４０はそれぞれ、頂端１１６、１２６、１３６、１４６と側端１１８、１２８、１３８、１４８との間を延びる。ある実施形態では、２つの物体側湾曲ＣＲ境界１１０、１３０のそれぞれの頂端１１６、１３６は、頂点１９０で接し又は交差し、代替的に又は追加的に、２つの像側湾曲ＣＲ境界１２０、１４０のそれぞれの頂端１２６、１４６は頂点１９２で接し又は交差する。頂線１６は頂点１９０と頂点１９２とを二分する。ある実施形態では、頂線１６はクローキングアセンブリ１０の中心線であってもよい。側方ＣＲ境界１９４は、物体側湾曲ＣＲ境界１１０の側端１１８から像側湾曲ＣＲ境界１２０の側端１２８に延びてもよく、側方ＣＲ境界１９６は、物体側湾曲ＣＲ境界１３０の側端１３８から像側湾曲ＣＲ境界１４０の側端１４８に延びてもよい。側方ＣＲ境界１９４、１９６はそれぞれ、内向き不透明表面１９５、１９７と、透明、不透明、又はミラー面であり得る外向き表面とを有してもよい。ある実施形態では、側方ＣＲ境界１９４、１９６はそれぞれ、側端１１８、１２８間、及び、１３８、１４８間に延びず、例えば、側端１１８は、側端１２８に隣接して位置決めされてもよく、側端１２８に結合されてもよく、側端１３８は、側端１４８に隣接して位置決めされてもよく、側端１４８に結合されてもよい。
【００２０】
ある実施形態では、２つの物体側湾曲ＣＲ境界１１０、１３０と２つの像側湾曲ＣＲ境界１２０、１４０とが、内向き不透明表面１１４、１３４、１２４、１４４によって少なくとも部分的に境界付けされたＣＲ２００を形成する。２つの物体側湾曲ＣＲ境界１１０、１３０と、２つの像側湾曲ＣＲ境界１２０、１４０は、図面中で座標軸のＺ方向に高さ「ｈ」（図５）を有し、ＣＲ２００内で反射し又はＣＲ２００内を透過した光は内向き不透明表面１１４、１３４、１２４、１４４を通過しない。したがって、ＣＲ２００内に位置する物品は（例えば、遮蔽された物品）は、像側１４からクローキングアセンブリ１０を＋Ｙ方向に見ている観者には視認できない。
【００２１】
図１を更に参照すると、湾曲反射境界１５０、１６０、１７０、１８０はそれぞれ、湾曲ＣＲ境界１１０、１２０、１３０、１４０から離間されつつ、湾曲ＣＲ境界１１０、１２０、１３０、１４０に近接して位置決めされる。物体側湾曲ＣＲ境界１１０、１３０にそれぞれ近接して位置決めされた２つの湾曲反射境界１５０、１７０は、本開示中で物体側湾曲反射境界１５０、１７０と呼ばれることがあり、像側湾曲ＣＲ境界１２０、１４０にそれぞれ近接して位置決めされた２つの湾曲反射境界１６０、１８０は、本開示中で像側湾曲反射境界１６０、１８０と呼ばれることがある。物体側湾曲反射境界１５０は物体側湾曲ＣＲ境界１１０の外向きミラー面１１２に面した内向きミラー面１５２を有し、像側湾曲反射境界１６０は像側湾曲ＣＲ境界１２０の外向きミラー面１２２に面した内向きミラー面１６２を有し、物体側湾曲反射境界１７０は物体側湾曲ＣＲ境界１３０の外向きミラー面１３２に面した内向きミラー面１７２を有し、像側湾曲反射境界１８０は像側湾曲ＣＲ境界１４０の外向きミラー面１４２に面した内向きミラー面１８２を有する。ある実施形態では、内向きミラー面１５２から内向きミラー面１６２に反射された光が側端１１８、１２８及び／又は側方ＣＲ境界１９４によって遮られないように、湾曲反射境界１５０、１６０は、物体側湾曲ＣＲ境界１１０と像側湾曲ＣＲ境界１２０との側（＋Ｘ方向）に位置決めされる。内向きミラー面１７２から内向きミラー面１８２に反射された光が側端１３８、１４８及び／又は側方ＣＲ境界１９６によって遮られないように、湾曲反射境界１７０、１８０は、物体側湾曲ＣＲ境界１３０と像側湾曲ＣＲ境界１４０との側（−Ｘ方向）に位置決めされる。
【００２２】
外向きミラー面への入射光のほぼ１００％（＋／−１０％）が外向きミラー面から反射されるように、内向きミラー面１５２、１６２、１７２、１８２を全方向性フォトニック結晶又はミラーから形成することができる。
【００２３】
外向きミラー面１１２に入射した物体Ｏからの光（図１に矢印「１」で示される）が内向きミラー面１５２に向けて反射する（図１に矢印「２」で示される）ように、物体側湾曲反射境界１５０は物体側湾曲ＣＲ境界１１０に対して位置決めされる。ある実施形態では、外向きミラー面１１２から反射した光２は、外向きミラー面１１２と内向きミラー面１５２との間にこれらから離間して位置する焦点ｆ１に収束する。したがって、反射光２は、焦点ｆ１に収束し、その後、内向きミラー面１５２に到達して入射する前に、デフォーカス（焦点ずれ）する。物体側湾曲ＣＲ境界１１０の高さｈ（Ｚ方向）に沿って外向きミラー面１１２に入射した光１は、焦点ｆ１と交差しつつＺ方向に延びる線に概ね収束し、その後、デフォーカスし、物体側湾曲反射境界１５０の高さｈに沿って内向きミラー面１５２に到達し、入射してもよい。また、光１は、物体Ｏから反射される光、物体Ｏから又は物体Ｏによって照射される光、などでよい、ことが理解される。
【００２４】
外向きミラー面１３２に入射する物体Ｏからの光（図１に矢印「１」で示される）が内向きミラー面１７２に向けて反射する（図１に矢印「２」で示される）ように、物体側湾曲反射境界１７０は物体側湾曲ＣＲ境界１３０に対して位置決めされる。ある実施形態では、外向きミラー面１３２から反射した光２は、外向きミラー面１３２と内向きミラー面１７２との間にこれらから離間して位置する焦点ｆ３に収束する。したがって、反射光２は、焦点ｆ３に収束し、その後、内向きミラー面１７２に到達して入射する前に、デフォーカスする。物体側湾曲ＣＲ境界１３０の高さｈ（Ｚ方向）に沿って外向きミラー面１３２に入射した光１は、焦点ｆ３と交差しつつＺ方向に延びる線に概ね収束し、その後、デフォーカスし、物体側湾曲反射境界１７０の高さｈに沿って内向きミラー面１７２に到達し、入射してもよい。
【００２５】
頂線１６の右側（＋Ｘ方向）においてクローキングアセンブリ１０に入射した光１は、外向きミラー面１１２に入射し、外向きミラー面１１２によって内向きミラー面１５２に向けて反射され、頂線１６の左側（−Ｘ方向）においてクローキングアセンブリ１０に入射した光１は、外向きミラー面１３２に入射し、外向きミラー面１３２によって内向きミラー面１７２に向けて反射される。
【００２６】
上述したように、外向きミラー面１１２、１３２は、入射光１を焦点ｆ１に収束させ、その後、光１はデフォーカスし、それぞれ内向きミラー面１５２、１７２に到達して入射してもよい。例えば、限定はされないが、外向きミラー面１１２、１３２は、以下の式で表される湾曲形状を有してもよい。
【数１】
2018127196.tif 000003
ここで、Ｒは外向きミラー面１１２、１３２の曲率半径である。ある実施形態では、湾曲形状は放物面状であり、Ｋ＝−１であり、式（１）は以下のように書き換えられる。
【数２】
2018127196.tif 000004
ここで、Ａ＝１／２Ｒは定数である。説明のため、図２に、例えばＸ‐Ｙデカルト座標系上にプロットされた、外向きミラー面１３２などの放物形状を示す。光線１が点Ｐ（ｘ０，ｙ０）において外向きミラー面１３２に入射すると仮定すると、入射光線１はＰ（ｘ０，ｙ０）において曲線ｙ（ｘ）の法線「Ｎ」に対して角度「θ」を有する。また、＋Ｘ軸と曲線ｙ（ｘ）のＰ（ｘ０，ｙ０）における接線とのなす角度もθであり、ｔａｎθ＝ｄｙ／ｄｘ＝２Ａｘ０となる。Ｐ（ｘ０，ｙ０）において入射した光線１が光線２として反射され、焦点Ｆ（０，ｆ）でＹ軸と交差すると仮定すると、ｆは以下のように表され得る。
【数３】
2018127196.tif 000005
このｆは定数であり、曲線ｙ（ｘ）上の点Ｐの位置とは無関係である。つまり、−Ｙ方向に沿って外向きミラー面１３２に入射する全ての光１が幾何学的観点から、ｆ＝１／４Ａである焦点Ｆ（０，ｆ）に収束する。また、外向きミラー面１３２の高さｈに沿って入射する全ての光１が幾何学的観点から、焦点Ｆ（０，ｆ）と交差してＺ方向に延びる線に収束する。したがって、外向きミラー面１１２、１３２の高さｈに沿った光１はそれぞれ、反射し、焦点ｆ１、ｆ３と交差する線に収束し、その後、デフォーカスし、内向きミラー面１５２、１７２に到達して入射する。式（１）から（６）から、外向きミラー面１１２、内向きミラー面１６２、外向きミラー面１３２、及び内向きミラー面１８２の大きさと形状をそれぞれ調節することにより、焦点ｆ１、ｆ２、ｆ３、ｆ４の位置が調節され得ることが理解される。例えば、限定はされないが、外向きミラー面１３２は、約５０ミリメートル（ｍｍ）の幅（Ｘ方向）を有してもよく、式ｙ（ｘ）＝ｘ２／１００（０≦ｘ≦５０）によって表されてもよい。このような例では、外向きミラー面１３２の焦点ｆ３は約２５ｍｍである。また、内向きミラー面１８２は、約５ｍｍの幅（Ｘ方向）を有してもよく、式ｙ（ｘ）＝ｘ２／１０（０≦ｘ≦５）によって表されてもよく、内向きミラー面１８２の焦点ｆ４は約２．５ｍｍである。
【００２７】
図１を更に参照すると、外向きミラー面１１２から内向きミラー面１５２へ入射する光２が光３として平行に−Ｙ方向に反射されるように、物体側湾曲反射境界１５０の内向きミラー面１５２は外向きミラー面１１２に対して＋Ｘ方向に外側に位置決めされる。ある実施形態では、内向きミラー面１５２は、外向きミラー面１１２に対してＺ軸を中心に概ね１８０°の向きに配置された放物形状ミラー面であり、像側湾曲反射境界１６０の内向きミラー面１６２に向けて光２を平行に反射する。内向きミラー面１５２の曲率は外向きミラー面１１２の曲率と同じであっても異なっていてもよい。内向きミラー面１６２は内向きミラー面１５２に対してＺ軸を中心に概ね９０°の向きに配置された放物形状ミラー面であってよい。内向きミラー面１６２の曲率は内向きミラー面１５２の曲率と同じであっても異なっていてもよい。
【００２８】
内向きミラー面１５２から内向きミラー面１６２に入射した光３が光４として平行に−Ｙに反射されて、内向きミラー面１６２と外向きミラー面１２２との間にこれらから離間して位置する焦点ｆ２に収束するように、像側湾曲反射境界１６０の内向きミラー面１６２は、外向きミラー面１２２に対して＋Ｘ方向に位置決めされる。したがって、反射光４は焦点ｆ２に収束し、その後、外向きミラー面１２２に到達して入射する前にデフォーカスする。内向きミラー面１６２の曲率は外向きミラー面１２２の曲率と同じであっても異なっていてもよい。像側湾曲反射境界１６０の高さｈ（Ｚ方向）に沿って内向きミラー面１６２に入射した光３は、焦点ｆ２に交差しＺ方向に延びる線に概ね収束し、その後、デフォーカスし、像側湾曲ＣＲ境界１２０の高さｈに沿って外向きミラー面１２２に到達してもよい、ことが理解される。ある実施形態では、外向きミラー面１２２は、外向きミラー面１１２に対してＸ軸を中心に概ね１８０°の向きに配置された放物形状ミラー面である。
【００２９】
内向きミラー面１５２と同様に、外向きミラー面１３２から内向きミラー面１７２へ入射する光２が光３として平行に−Ｙ方向に反射するように、物体側湾曲反射境界１７０の内向きミラー面１７２は、外向きミラー面１３２に対して−Ｘ方向に外側に位置決めされる。ある実施形態では、内向きミラー面１７２は、外向きミラー面１３２に対してＺ軸を中心に概ね１８０°の向きに配置された放物形状ミラー面であり、像側湾曲反射境界１８０の内向きミラー面１８２に向けて光２を平行に反射する。内向きミラー面１７２の曲率は外向きミラー面１３２の曲率と同じであっても異なっていてもよい。内向きミラー面１８２は内向きミラー面１７２に対してＺ軸を中心に概ね９０°の向きに配置された放物形状ミラー面であってよい。内向きミラー面１８２の曲率は内向きミラー面１７２の曲率と同じであっても異なっていてもよい。
【００３０】
内向きミラー面１７２から内向きミラー面１８２に入射した光３が光４として反射されて、内向きミラー面１８２と外向きミラー面１４２との間にこれらから離間して位置する焦点ｆ４に収束するように、像側湾曲反射境界１８０の内向きミラー面１８２は、外向きミラー面１４２に対して−Ｘ方向に外側に位置決めされる。したがって、反射光４は焦点ｆ４に収束し、その後、外向きミラー面１４２に到達して入射する前にデフォーカスする。内向きミラー面１８２の曲率は外向きミラー面１４２の曲率と同じであっても異なっていてもよい。像側湾曲反射境界１８０の高さｈ（Ｚ方向）に沿って内向きミラー面１８２に入射した光３は、焦点ｆ４に交差しＺ方向に延びる線に概ね収束し、その後、デフォーカスし、像側湾曲ＣＲ境界１４０の高さｈに沿って外向きミラー面１４２に到達してもよい、ことが理解される。ある実施形態では、外向きミラー面１４２は、外向きミラー面１３２に対してＸ軸を中心に概ね１８０°の向きに配置された放物形状ミラー面である。
【００３１】
図１を更に参照すると、物体「Ｏ」からの光１は−Ｙ方向に進み、外向きミラー面１１２、１３２に入射する。クローキングアセンブリ１０の頂線１６の右側（＋Ｘ方向）の光１は、外向きミラー面１１２によって光２として焦点ｆ１に反射され収束され、その後、デフォーカスし、内向きミラー面１５２に到達して入射する。内向きミラー面１５２に入射する光２は、内向きミラー面１５２によって光３として概ね平行に内向きミラー面１６２に向けて反射される。光３は、内向きミラー面１６２によって光４として焦点ｆ２に反射され収束され、その後、デフォーカスし、外向きミラー面１２２に到達して入射する。外向きミラー面１２２の入射光４は、外向きミラー面１２２によって光１と概ね平行に−Ｙ方向に反射され、頂線１６の右（＋Ｘ方向）に位置する物体Ｏの部分に対応する像Ｉの部分を形成する。クローキングアセンブリ１０の頂線１６の左側（−Ｘ方向）の光１は、外向きミラー面１３２によって光２として焦点ｆ３に反射され収束され、その後、デフォーカスし、内向きミラー面１７２に到達して入射する。内向きミラー面１７２に入射する光２は、内向きミラー面１７２によって光３として概ね平行に内向きミラー面１８２に向けて反射される。光３は、内向きミラー面１８２によって光４として焦点ｆ４に反射され収束され、その後、デフォーカスし、外向きミラー面１４２に到達して入射する。外向きミラー面１４２の入射光４は、外向きミラー面１４２によって光１と概ね平行に−Ｙ方向に反射され、頂線１６の左側（−Ｘ方向）に位置する物体Ｏの部分に対応する像Ｉの部分を形成する。クローキングアセンブリ１０の境界を越えて（＋／−Ｘ方向）位置する物体Ｏの部分からの光６は、−Ｙ方向に進み、クローキングアセンブリ１０の像側１４を見ている観者に視認可能である。
【００３２】
ここで図１、３、４を参照すると、実施形態に係るクローキングデバイスの頂方斜視図及び側面図（図１から２に関連して説明したように）がそれぞれ図３及び図４に示される。特に、図３はクローキングアセンブリ１０のＣＲ２００内にある柱「Ｃ」の形の物品と、クローキングアセンブリ１０の＋Ｙ方向の物体側１２の、柱Ｃの背後に位置する自動車「Ａ」と、の頂方斜視図である（側方ＣＲ境界１９４、１９６は図示せず）。柱Ｃはクローキングデバイスの高さｈよりも大きい、Ｚ方向の高さ寸法（−Ｚ方向に高さが増大する）を有する。図４は、図３に示すクローキングアセンブリ１０の＋Ｙ方向からの側面図であって、クローキングアセンブリ１０を＋Ｙ方向に見る観者には、ＣＲ２００内にある柱Ｃの部分は視認不能で、柱Ｃの＋Ｙ方向の背後に位置する自動車Ａは視認可能であることを示している。したがって、ＣＲ２００内に位置決めされた柱Ｃはクローキングアセンブリ１０の像側１４を見ている観者には視認できず、自動車Ａ全体の像は像側１４を見ている観者には視認可能である。図３及び図４の柱Ｃは湾曲ＣＲ境界１１０、１２０、１３０、１４０から分離している、つまり、柱Ｃはクローキングアセンブリ１０とは別の物体であるけれども、柱Ｃが、構造的にクローキングアセンブリ１０の一部であってもよく、外向きミラー面１１２、１２２、１３２、１４２をそれぞれ有する湾曲ＣＲ境界１１０、１２０、１３０、１４０を提供する又はこれらと均等の外表面を有してもよい、ことが理解されるべきである。
【００３３】
ここで、図１及び図５を参照すると、図５はクローキングアセンブリ１０の設置面の寸法を示す。本開示中で用いられる「設置面」という用語は、クローキングアセンブリ１０によって占有される断面積、つまり、クローキングアセンブリ１０の最外境界によって定義される断面積をさす。図５に描かれたクローキングアセンブリ１０の設置面の断面積は、Ｘ１・Ｙ１である。クローキングアセンブリ１０の遮蔽率はＺ方向に沿ったＣＲ２００の断面積（ＣＲ面積）を、クローキングアセンブリ１０の設置面の断面積（設置面積）で除したものと定義され得る（遮蔽率＝ＣＲ面積／設置面積）。ある実施形態では、クローキングアセンブリ１０の遮蔽率は約０．４から０．８であってよい。他の実施形態では、クローキングアセンブリ１０の遮蔽率は約０．５から０．７である。
【００３４】
図１、３、４及び６を参照すると、クローキングデバイスによって遮蔽されているビークルのＡピラーの実施形態が示される。詳細には、図６は、ビークルＶのＡピラーＰの一部を遮蔽するクローキングデバイス１９を示す。ＡピラーＰの一部はクローキングデバイス１９のＣＲ２００（図示せず）内に位置決めされ、ＡピラーＰの一部はクローキングデバイスを越えて延びてトリムＴにより覆われる。クローキングデバイス１９の物体側のビークルＶの外側に、歩行者の形のターゲット物体「Ｏ」が示されている。歩行者Ｏの一部はビークルＶのサイドウィンドウを通して視認可能であり、歩行者の一部はクローキングデバイス１９によって遮蔽されたＡピラーＰを「通して」視認可能である。クローキングデバイス１９は、歩行者Ｏから反射された光をクローキングデバイス１９のＣＲ２００内に位置決めされたＡピラーＰの周囲に導き、クローキングデバイス１９の像側のビークルの内部に、歩行者Ｏの方を見ているビークルＶの乗員に視認可能な、歩行者Ｏの像Ｉを形成する。したがって、歩行者Ｏからの光はＡピラーＰを通過するように見え、ＡピラーＰの一部がクローキングデバイス１９のＣＲ２００内に位置決めされていないときと同じように、ＡピラーＰによって通常作られるブラインドスポットが存在しなくなる。ある実施形態では、ＡピラーＰ自体がＣＲ２００として機能する、つまり、ＡピラーＰは、歩行者からの光をＡピラーＰの周囲に導くのをアシストする１又は複数の外向きミラー面を有する外表面を有する。クローキングデバイス１９でもってＡピラーＰを遮蔽することと、ＡピラーＰによって作られたブラインドスポットをバイパスすることとが、メタマテリアル、ビデオ画像、カメラ、高性能の電子機器などを使用せずに実現される、ということが理解されるべきである。
【００３５】
本開示中に記載されたクローキングデバイスは、ビークル内から見たときにビークルのＡピラー、Ｂピラー、Ｃピラー、Ｄピラーなどのビークルの物品を遮蔽し、ビークル物品によるブラインドスポットをバイパスするのに使用されてもよい。「物体」、「物品」、及び「アイテム」という用語は互いに置き換え可能に、光を反射する又は送る視覚対象物又は像（２Ｄ又は３Ｄ）をさすことがあり、「からの光」という用語は「から反射された光」又は「から送られた光」をさすことがある。「概ね」、「ほぼ」、及び「約」という用語は、本開示において、量的比較、値、測定やその他の表現に起因し得る固有の不確実性の度合いを表すのに用いられることがある。これらの用語は、定量的な表現が、問題となる主題の基本機能を変化させることなく、記載されている基準から変化し得る程度を表すのにも利用される。
【００３６】
図面中に開示され説明される実施形態では４つの湾曲ＣＲ境界によって境界付けされたＣＲを有するクローキングアセンブリが描かれているけれども、２つの湾曲ＣＲ境界によって境界付けされたＣＲを有するクローキングアセンブリが提供される。例えば、限定はされないが、ＣＲは１つの物体側湾曲ＣＲ境界と１つの像側湾曲ＣＲ境界との間に境界付けされていてもよい。
【００３７】
本開示中で用いられる方向に関する用語、例えば、上、下、右、左、前、後、頂、底、鉛直、水平、は、描かれた図面に関連してのみ用いられ、特に明記しない限り、絶対的な方向性を暗示することを意図しない。
【００３８】
本開示中では具体的な実施形態を描写、説明したが、特許請求の範囲に記載された主題の精神や範囲から逸脱することなくその他の種々の変更及び改変がなされ得ることが理解されるべきである。さらに、本開示中には、特許請求の範囲に記載された主題の種々の態様が記載されているけれども、そのような態様は組み合わせて用いられる必要はない。したがって、添付の特許請求の範囲は、特許請求の範囲に記載されている主題の範囲内にあるそのような変更及び改変の全てを含むことが意図される。
【００３９】
例１
クローキングデバイスであって、
物体側及び像側と、
外向きミラー面及び内向き不透明表面を有する物体側湾曲遮蔽領域（ＣＲ）境界、及び、外向きミラー面及び内向き不透明表面を有する像側湾曲ＣＲ境界と、
前記物体側湾曲ＣＲ境界及び前記像側湾曲ＣＲ境界の前記内向き不透明表面によって境界付けされたＣＲと、
内向きミラー面を有する物体側湾曲反射境界と、
内向きミラー面を有する像側湾曲反射境界と、
を備え、
前記クローキングデバイスの前記物体側に位置しかつ前記ＣＲにより隠された物体からの光が前記ＣＲの周囲に導かれて、前記物体からの前記光が前記ＣＲを通過したかに見えるように、前記クローキングデバイスの前記像側に前記物体の像を形成する、
クローキングデバイス。
例２
前記物体側湾曲ＣＲ境界の前記外向きミラー面は、前記物体側に位置する前記物体からの入射光を概ね、前記物体側湾曲ＣＲ境界の前記外向きミラー面と前記物体側湾曲反射境界の前記内向きミラー面との間にこれら前記外向きミラー面及び前記内向きミラー面から離間して位置する焦点に反射し収束させる、ように構成される、例１に記載のクローキングデバイス。
例３
前記物体側湾曲ＣＲ境界の前記外向きミラー面及び前記物体側湾曲反射境界の前記内向きミラー面は放物形状面であり、
前記物体側湾曲反射境界の前記内向きミラー面は、前記物体側湾曲ＣＲ境界の前記外向きミラー面に対して概ね１８０°の向きに配置される、
例２に記載のクローキングデバイス。
例４
前記物体側湾曲反射境界の前記内向きミラー面は、前記物体側湾曲ＣＲ境界の前記外向きミラー面からの入射光を前記像側湾曲反射境界の前記内向きミラー面に向けて概ね平行に反射する、ように構成される、例１に記載のクローキングデバイス。
例５
前記物体側湾曲反射境界の前記内向きミラー面及び前記像側湾曲反射境界の前記内向きミラー面は放物形状面であり、
前記物体側湾曲反射境界の前記内向きミラー面は、前記像側湾曲反射境界に対して概ね９０°の向きに配置される、
例４に記載のクローキングデバイス。
例６
前記像側湾曲反射境界の前記内向きミラー面は、前記物体側湾曲反射境界の前記内向きミラー面から反射された入射光を概ね、前記像側湾曲反射境界の前記内向きミラー面と前記像側湾曲ＣＲ境界の前記外向きミラー面との間にこれら前記内向きミラー面及び前記外向きミラー面から離間して位置する焦点に反射し収束する、ように構成される、例１に記載のクローキングデバイス。
例７
前記像側湾曲反射境界の前記内向きミラー面及び前記像側湾曲ＣＲ境界の前記外向きミラー面は放物形状面であり、
前記像側湾曲反射境界の前記内向きミラー面は、前記物体側湾曲反射境界の前記内向きミラー面に対して概ね９０°の向きに配置される、
例６に記載のクローキングデバイス。
例８
前記像側湾曲ＣＲ境界の前記外向きミラー面及び前記像側湾曲ＣＲ境界の前記外向きミラー面は放物形状面であり、
前記像側湾曲ＣＲ境界の前記外向きミラー面は、前記物体側湾曲ＣＲ境界の前記外向きミラー面に対して概ね１８０°の向きに配置される、
例１に記載のクローキングデバイス。
例９
前記像側湾曲ＣＲ境界の前記外向きミラー面は、前記像側湾曲反射境界の前記内向きミラー面からのデフォーカスされた入射光を反射して、前記物体側に近接して位置する前記物体の前記像を前記像側に形成する、ように構成される、例１に記載のクローキングデバイス。
例１０
前記物体側湾曲ＣＲ境界の前記外向きミラー面は、前記物体側に位置する前記物体からの入射光を概ね、前記物体側湾曲ＣＲ境界の前記外向きミラー面と前記物体側湾曲反射境界の前記内向きミラー面との間にこれら前記外向きミラー面及び前記内向きミラー面から離間して位置する焦点に反射し収束させる、ように構成され、
前記物体側湾曲反射境界の前記内向きミラー面は、前記物体側湾曲ＣＲ境界の前記外向きミラー面からの入射光を、前記像側湾曲反射境界の前記内向きミラー面に向けて概ね平行に反射する、ように構成され、
前記像側湾曲反射境界の前記内向きミラー面は、前記物体側湾曲反射境界の前記内向きミラー面からの入射光を概ね、前記像側湾曲反射境界の前記内向きミラー面と前記像側湾曲ＣＲ境界の前記外向きミラー面との間にこれら前記内向きミラー面及び前記外向きミラー面から離間して位置する別の焦点に反射し収束させる、ように構成され、
前記像側湾曲ＣＲ境界の前記外向きミラー面は、前記像側湾曲反射境界の前記内向きミラー面からのデフォーカスされた入射光を反射して、前記物体側に近接して位置する前記物体の前記像を前記像側に形成する、ように構成される、
例１に記載のクローキングデバイス。
例１１
前記ＣＲ内に位置決めされた物品を更に備え、前記クローキングデバイスの前記物体側に位置しかつ前記ＣＲにより隠された前記物体からの光が前記ＣＲ及び前記物品の周囲に導かれて、前記クローキングデバイスの前記像側に前記物体の前記像を形成し、前記物品が透明に見える、例１に記載のクローキングデバイス。
例１２
前記物品はビークルＡピラー、ビークルＢピラー、ビークルＣピラーからなる群から選択される、例１１に記載のクローキングデバイス。
例１３
ビークルの物品を遮蔽するためのクローキングデバイスであって、
クローキングアセンブリであって、
物体側及び像側と、
前記物体側に近接して位置決めされた２つの物体側湾曲ＣＲ境界であって、各々が外向きミラー面と内向き不透明表面とを備える、２つの物体側湾曲ＣＲ境界と、
前記２つの物体側湾曲ＣＲ境界に近接して位置決めされた２つの物体側湾曲反射境界であって、各々が内向きミラー面を備える、２つの物体側湾曲反射境界と、
前記物体側及び前記像側との間の前記像側に近接して位置決めされた２つの像側湾曲ＣＲ境界であって、各々が外向きミラー面と内向き不透明表面とを備える、２つの像側湾曲ＣＲ境界と、
前記２つの像側湾曲ＣＲ境界に近接して位置決めされた２つの像側湾曲反射境界であって、各々が内向きミラー面を備える、２つの像側湾曲反射境界と、
前記２つの物体側湾曲ＣＲ境界及び前記２つの像側湾曲ＣＲ境界の前記内向き不透明表面によって境界付けされたＣＲと、
を備えるクローキングアセンブリを備え、
前記２つの物体側湾曲ＣＲ境界の前記外向きミラー面、前記２つの物体側湾曲反射境界の前記内向きミラー面、前記２つの像側湾曲反射境界の前記内向きミラー面、及び、前記２つの像側湾曲ＣＲ境界の前記外向きミラー面は、前記クローキングデバイスの前記物体側に位置しかつ前記ＣＲにより隠された物体からの光を反射し前記ＣＲの周囲に導いて、前記物体からの前記光が前記ＣＲを通過したかに見えるように、前記クローキングデバイスの前記像側に前記物体の像を形成する、ように構成される、
クローキングデバイス。
例１４
前記２つの物体側湾曲ＣＲ境界の前記外向きミラー面は、前記物体側に位置する前記物体からの入射光を概ね、前記２つの物体側湾曲ＣＲ境界の前記外向きミラー面と前記２つの物体側湾曲反射境界の前記内向きミラー面との間にこれら前記外向きミラー面及び前記内向きミラー面から離間して位置する焦点に反射し収束する、ように構成された放物形状面である、例１３に記載のクローキングデバイス。
例１５
前記２つの物体側湾曲反射境界の前記内向きミラー面は、前記２つの物体側湾曲ＣＲ境界の前記外向きミラー面からの入射光を、前記２つの像側湾曲反射境界の前記内向きミラー面に向けて概ね平行に反射する、ように構成された放物形状面である、例１３に記載のクローキングデバイス。
例１６
前記２つの像側湾曲反射境界の前記内向きミラー面は、前記２つの物体側湾曲反射境界の前記内向きミラー面から反射された入射光を、前記２つの像側湾曲反射境界の前記内向きミラー面と前記２つの像側湾曲ＣＲ境界の前記外向きミラー面との間にこれら前記内向きミラー面及び前記外向きミラー面から離間して位置する焦点に反射し収束する、ように構成された放物形状面である、例１３に記載のクローキングデバイス。
例１７
前記２つの像側湾曲ＣＲ境界の前記外向きミラー面は、前記２つの像側湾曲反射境界の前記内向きミラー面からのデフォーカスされた入射光を反射して、前記物体側に近接して位置する前記物体の前記像を前記像側に形成する、ように構成された放物形状面である、例１３に記載のクローキングデバイス。
例１８
クローキングデバイスを有するビークルであって、
Ａピラー、Ｂピラー、及び、Ｃピラーからなる群から選択されるビークルピラーと、
クローキングアセンブリであって、
物体側及び像側と、
外向きミラー面及び内向き不透明表面を有する物体側湾曲遮蔽領域（ＣＲ）境界、並びに、外向きミラー面及び内向き不透明表面を有する像側湾曲ＣＲ境界と、
前記物体側湾曲ＣＲ境界及び前記像側湾曲ＣＲ境界の前記内向き不透明表面によって境界付けされたＣＲであって、前記ビークルピラーの少なくとも一部がその内部に位置決めされたＣＲと、
内向きミラー面を有する物体側湾曲反射境界と、
内向きミラー面を有する像側湾曲反射境界と、
を備えるクローキングアセンブリと、
を備え、
前記クローキングデバイスの前記物体側に位置しかつ前記ＣＲにより隠された物体からの光が前記ＣＲ内に位置決めされた前記ビークルピラーの一部の周囲に導かれて、前記物体からの前記光が前記ビークルピラーを通過したかに見えるように、前記クローキングデバイスの前記像側に前記物体の像を形成する、
ビークル。
例１９
前記物体側湾曲ＣＲ境界の前記外向きミラー面は、前記物体側に位置する前記物体からの入射光を概ね、前記物体側湾曲ＣＲ境界の前記外向きミラー面と前記物体側湾曲反射境界の前記内向きミラー面との間にこれら前記外向きミラー面及び前記内向きミラー面から離間して位置する焦点に反射し収束する、ように構成された放物形状面であり、
前記物体側湾曲反射境界の前記内向きミラー面は、前記物体側湾曲ＣＲ境界の前記外向きミラー面に対して概ね１８０°の向きに配置される、
例１８に記載のクローキングデバイスを有するビークル。
例２０
前記像側湾曲反射境界の前記内向きミラー面は、前記物体側湾曲反射境界の前記内向きミラー面から反射された入射光を概ね、前記像側湾曲反射境界の前記内向きミラー面と前記像側湾曲ＣＲ境界の前記外向きミラー面との間にこれら前記内向きミラー面及び前記外向きミラー面から離間して位置する焦点に反射し収束する、ように構成された放物形状面であり、
前記像側湾曲反射境界の前記内向きミラー面は、前記物体側湾曲反射境界の前記内向きミラー面に対して概ね９０°の向きに配置される、
例１８に記載のクローキングデバイスを有するビークル。
【図１】
2018127196.tif 000006
【図２】
2018127196.tif 000007
【図３】
2018127196.tif 000008
【図４】
2018127196.tif 000009
【図５】
2018127196.tif 000010
【図６】
2018127196.tif 000011
【外国語明細書】
2018127196000001.pdf